(57)【要約】【課題】端末部が湾曲した取付溝にルーフモールディングを見栄え良く装着する。【解決手段】ルーフモールディング１４の端末取付部２６を取付溝１３内のクリップ２３に取り付けたときに、端末取付部２６の幅方向内側に設けた側方突出部３０がクリップ２３の幅方向内側の被係合部２５の上端に当接することで、端末取付部２６の幅方向内側を上方に持ち上げて該端末取付部２６を幅方向外側に傾動させ、この端末取付部２６の幅方向外側への傾動に伴って、装飾頭部１５の端末部を幅方向外側に向けて強制的に変位させて、装飾頭部１５の端末部が取付溝１３の幅方向内側に片寄ることを防止する。これにより、取付溝１３の端末湾曲部でルーフモールディング１４の装飾頭部１５と取付溝１３の幅方向内側部分との隙間を他の部分とほぼ同じにすることができ、端末部が幅方向外側に湾曲した取付溝１３にルーフモールディング１４を見栄え良く装着することができる。【選択図】図５
2007196835.tif 000002
【特許請求の範囲】
【請求項１】
車体のルーフ上に該車体の前後方向に沿って略直線状に設けられて前後の少なくとも一端側が該車体の幅方向外側に向けて湾曲するように形成された取付溝に沿って装着可能で、弾性ポリマー材料により直線状に形成された長尺な車両用のルーフモールディングであって、
前記ルーフモールディングは、前記取付溝に装着されたときに該取付溝の少なくとも一部を覆う装飾頭部と、前記装飾頭部に一体的に設けられて前記取付溝に装着されたときに該取付溝の底壁に向けて突出する脚部と、前記脚部に一体的に設けられて前記取付溝に装着されたときに該取付溝の側壁に当接することで当該ルーフモールディングを所定位置に係止する装着係止部とを備え、
前記装着係止部のうち長手方向の少なくとも一方の端末部が除去されて該装着係止部が除去された部分の前記脚部及び／又は前記装飾頭部には、前記取付溝に固定された取付具に直接又は間接的に取付可能な端末取付部が設けられ、
前記端末取付部には、該端末取付部が前記取付具に取り付けられたときに前記装飾頭部の端末部を前記車体の幅方向外側に向けて強制的に変位させる強制変位部が設けられていることを特徴とする車両用のルーフモールディング。
【請求項２】
前記強制変位部は、前記端末取付部のうち前記車体の幅方向内側に設けられて前記取付溝の底壁に向けて突出する下方突出部であり、前記端末取付部が前記取付具に取り付けられたときに前記下方突出部が前記取付溝の底壁に当接することで前記端末取付部の幅方向内側を上方に持ち上げて該端末取付部を幅方向外側に傾動させるように形成されていることを特徴とする請求項１に記載の車両用のルーフモールディング。
【請求項３】
前記強制変位部は、前記端末取付部のうち前記車体の幅方向内側に設けられて前記取付溝の側壁に向けて突出する側方突出部であり、前記端末取付部が前記取付具に取り付けられたときに前記側方突出部が前記取付具に当接することで前記端末取付部の幅方向内側を上方に持ち上げて該端末取付部を幅方向外側に傾動させるように形成されていることを特徴とする請求項１又は２に記載の車両用のルーフモールディング。
【請求項４】
前記端末取付部のうち前記側方突出部の下方に前記取付具の被係合部と係合する係合部が設けられ、前記側方突出部と前記係合部との間の隙間寸法が前記端末取付部の長手方向で端末と逆方向に向かって徐々に広くなるように形成されていることを特徴とする請求項３に記載の車両用のルーフモールディング。
【請求項５】
前記強制変位部は、前記端末取付部のうち前記車体の幅方向外側及び／又は幅方向内側に設けられて前記取付具の被係合部と係合する係合部であり、前記端末取付部が前記取付具に取り付けられたときに前記装飾頭部の端末部が前記車体の幅方向外側に傾斜した状態になるように前記係合部の係合位置が設定されていることを特徴とする請求項１乃至４のいずれかに記載の車両用のルーフモールディング。
【請求項６】
前記強制変位部は、前記端末取付部のうち前記取付具に固定される固定部であり、前記端末取付部が前記取付具に取り付けられたときに前記装飾頭部の端末部が前記車体の幅方向外側に傾斜した状態になるように予め前記固定部が前記装飾頭部に対して傾斜した形状に形成されていることを特徴とする請求項１乃至５のいずれかに記載の車両用のルーフモールディング。
【請求項７】
前記端末取付部には、当該ルーフモールディングの長手方向の端面を覆う端末カバー部が一体成形されていることを特徴とする請求項１乃至６のいずれかに記載の車両用のルーフモールディング。
【請求項８】
ルーフモールディング本体を形成する弾性ポリマー材料よりも線膨張係数が小さい芯材が当該ルーフモールディングの長手方向の全長に亘って埋設されていることを特徴とする請求項１乃至７のいずれかに記載の車両用のルーフモールディング。
【請求項９】
前記端末取付部は、当該ルーフモールディングの長手方向の両側の端末部に設けられていることを特徴とする請求項１乃至８のいずれかに記載の車両用のルーフモールディング。
【請求項１０】
請求項１乃至９のいずれかに記載のルーフモールディングを前記取付溝に沿って装着すると共に前記強制変位部が設けられた端末取付部を前記取付溝に固定された取付具に取り付けて構成したことを特徴とする車両用のルーフモールディングの取付構造。
【発明の詳細な説明】
【技術分野】
【０００１】
本発明は、車体のルーフ上に設けられた取付溝に沿って装着可能な車両用のルーフモールディング及びこのルーフモールディングの取付構造に関するものである。
【背景技術】
【０００２】
車体のルーフ上に設けられた取付溝に装着されるルーフモールディングとしては、例えば、特許文献１（特開２００４−１６１１５３号公報）に記載されているように、樹脂等の押出成形により、取付溝を覆う装飾頭部（表面部）と、この装飾頭部の裏面から取付溝の底壁に向けて突出する脚部と、この脚部から幅方向両側に突出して取付溝の側壁に当接する装着係止部（リップ部）とを一体的に形成し、このルーフモールディングを取付溝に沿って装着したときに装着係止部によってルーフモールディングを取付溝の所定位置に係止するようにしたものがある。
【０００３】
更に、この特許文献１のルーフモールディングは、該ルーフモールディングの端末部が取付溝から外れることを防止するために、装着係止部及び脚部の端末部を所定範囲に亘って切除して、その切除部分に取付部を射出成形により形成し、ルーフモールディングを取付溝に装着する際に、この取付部を取付溝内に固定されたクリップに係合させるようにしている。
【特許文献１】特開２００４−１６１１５３号公報（第３頁〜第４頁等）
【発明の開示】
【発明が解決しようとする課題】
【０００４】
一般に、ルーフモールディングを装着する取付溝は、車体の前後方向に沿って略直線状に設けられているが、車体の形状等によっては、取付溝の前端側や後端側が車体の幅方向外側に向けて湾曲するように形成されたものがある。一方、長尺なルーフモールディングは、押出成形により直線状に形成されることが多く、この直線状のルーフモールディングを端末部が湾曲した取付溝に見栄え良く装着するには、ルーフモールディングの端末部を取付溝の端末部の湾曲形状に沿うように車体の幅方向外側に向けて湾曲させることが好ましい。
【０００５】
しかし、上記特許文献１のルーフモールディングのように端末部で装着係止部が除去されたルーフモールディングの場合には、例えば、図１０に示すように、ルーフモールディング１の端末部を取付溝２の端末部の湾曲形状に沿うように車体の幅方向外側に向けて湾曲させて装着しようとしても、取付溝２の端末湾曲部（つまりルーフモールディング１の端末部）では、装着係止部が除去されたことによりルーフモールディング１を取付溝２の所定位置に保持する力が低下しているため、ルーフモールディング１の弾性復元力（元の直線形状に戻ろうとするスプリングバック力）によってルーフモールディング１（特に装飾頭部３）の端末部が取付溝２の幅方向内側に寄ってしまう傾向がある。このため、取付溝２の端末湾曲部では、ルーフモールディング１の装飾頭部３と取付溝２の幅方向内側部分との間の隙間が他の部分に比べて狭くなって見栄えが悪くなり、外観性を損なうという問題がある。
【０００６】
本発明は、このような事情を考慮してなされたものであり、従って本発明の目的は、端末部が湾曲した取付溝にルーフモールディングを装着する場合に、取付溝の端末湾曲部でルーフモールディングの装飾頭部が取付溝の片方に寄ってしまうことを防止することができ、外観性を向上させることができるようにすることにある。
【課題を解決するための手段】
【０００７】
上記目的を達成するために、請求項１に係る発明は、車体のルーフ上に該車体の前後方向に沿って略直線状に設けられて前後の少なくとも一端側が該車体の幅方向外側に向けて湾曲するように形成された取付溝に沿って装着可能で、弾性ポリマー材料により直線状に形成された長尺な車両用のルーフモールディングであって、取付溝に装着されたときに該取付溝の少なくとも一部を覆う装飾頭部と、この装飾頭部に一体的に設けられて取付溝に装着されたときに該取付溝の底壁に向けて突出する脚部と、この脚部に一体的に設けられて取付溝に装着されたときに該取付溝の側壁に当接することで当該ルーフモールディングを所定位置に係止する装着係止部とを備え、装着係止部のうち長手方向の少なくとも一方の端末部が除去されて該装着係止部が除去された部分の脚部及び／又は装飾頭部には、取付溝に固定された取付具に直接又は間接的に取付可能な端末取付部を設け、この端末取付部には、該端末取付部が取付具に取り付けられたときに装飾頭部の端末部を車体の幅方向外側に向けて強制的に変位させる強制変位部を設ける構成としたものである。
【０００８】
この構成では、端末部が湾曲した取付溝にルーフモールディングを装着する際、ルーフモールディングの端末取付部を取付溝内の取付具に取り付けたときに、端末取付部に設けた強制変位部によって装飾頭部の端末部を車体の幅方向外側に向けて強制的に変位させることができるため、装飾頭部の端末部が取付溝の幅方向内側に寄ってしまうことを防止することができる。これにより、取付溝の端末湾曲部でルーフモールディングの装飾頭部と取付溝の幅方向内側部分との隙間を他の部分とほぼ同じにすることができるため、端末部が湾曲した取付溝にルーフモールディングを見栄え良く装着することができ、外観性を向上させることができる。
【０００９】
具体的には、請求項２のように、強制変位部を、端末取付部のうち車体の幅方向内側に設けられて取付溝の底壁に向けて突出する下方突出部として、端末取付部が取付具に取り付けられたときに下方突出部が取付溝の底壁に当接することで端末取付部の幅方向内側を上方に持ち上げて該端末取付部を幅方向外側に傾動させるように形成しても良い。このようにすれば、ルーフモールディングの端末取付部を取付具に取り付けたときに、下方突出部（強制変位部）が取付溝の底壁に当接することで端末取付部の幅方向内側を上方に持ち上げて該端末取付部を幅方向外側に傾動させることができ、この端末取付部の幅方向外側への傾動に伴って、装飾頭部の端末部を幅方向外側に向けて強制的に変位させることができる。
【００１０】
また、請求項３のように、強制変位部を、端末取付部のうち車体の幅方向内側に設けられて取付溝の側壁に向けて突出する側方突出部として、端末取付部が取付具に取り付けられたときに側方突出部が取付具に当接することで端末取付部の幅方向内側を上方に持ち上げて該端末取付部を幅方向外側に傾動させるように形成しても良い。このようにすれば、ルーフモールディングの端末取付部を取付具に取り付けたときに、側方突出部（強制変位部）が取付具に当接することで端末取付部の幅方向内側を上方に持ち上げて該端末取付部を幅方向外側に傾動させることができ、この端末取付部の幅方向外側への傾動に伴って、装飾頭部の端末部を幅方向外側に向けて強制的に変位させることができる。
【００１１】
更に、請求項４のように、端末取付部のうち側方突出部の下方に取付具の被係合部と係合する係合部を設ける場合には、側方突出部と係合部との間の隙間寸法を端末取付部の長手方向で端末と逆方向に向かって徐々に広くなるように形成すると良い。このようにすれば、ルーフモールディングの端末取付部を取付具に取り付ける際に、まず、端末取付部の側方突出部と係合部との間の隙間寸法が広い部分で、端末取付部の係合部と取付具の被係合部とを仮係合させた後、ルーフモールディングを長手方向にスライド移動させることで端末取付部の係合部と取付具の被係合部とを完全に係合させるといった取付方法を採用することができ、端末取付部の側方突出部と係合部が上下に並んで配置されていても、側方突出部に邪魔されずに端末取付部の係合部を取付具の被係合部に簡単に係合させることができる。
【００１２】
また、請求項５のように、強制変位部を、端末取付部のうち車体の幅方向外側及び／又は幅方向内側に設けられて取付具の被係合部と係合する係合部として、端末取付部が取付具に取り付けられたときに装飾頭部の端末部が車体の幅方向外側に傾斜した状態になるように係合部の係合位置を設定するようにしても良い。このようにすれば、ルーフモールディングの端末取付部の係合部（強制変位部）を取付具の被係合部に係合させて端末取付部を取付具に取り付けたときに、装飾頭部の端末部を車体の幅方向外側に傾斜させて、装飾頭部の端末部を幅方向外側に向けて強制的に変位させることができる。
【００１３】
更に、請求項６のように、強制変位部を、端末取付部のうち取付具に固定される固定部として、端末取付部が取付具に取り付けられたときに装飾頭部の端末部が車体の幅方向外側に傾斜した状態になるように予め固定部を装飾頭部に対して傾斜した形状に形成するようにしても良い。このようにすれば、ルーフモールディングの端末取付部の固定部（強制変位部）を取付具に固定して端末取付部を取付具に取り付けられたときに、装飾頭部の端末部を車体の幅方向外側に傾斜させて、装飾頭部の端末部を幅方向外側に向けて強制的に変位させることができる。
【００１４】
また、請求項７のように、端末取付部には、ルーフモールディングの長手方向の端面を覆う端末カバー部を一体成形するようにしても良い。このようにすれば、端末がカバーされたルーフモールディングを部品点数を増加させることなく得ることができる。
【００１５】
更に、請求項８のように、ルーフモールディングを形成する弾性ポリマー材料よりも線膨張係数が小さい芯材をルーフモールディングの長手方向の全長に亘って埋設するようにしても良い。このようにすれば、ルーフモールディングの長手方向における熱伸縮を防止することができると共に、ルーフモールディングに適度な剛性や弾性を持たせることができる。
【００１６】
また、端末取付部は、ルーフモールディングの長手方向の一方の端末部のみに設けるようにしても良いが、請求項９のように、端末取付部は、ルーフモールディングの長手方向の両側の端末部に設けるようにしても良い。このようにすれば、前端側と後端側の両方が湾曲した取付溝にもルーフモールディングを見栄え良く装着することができる。
【００１７】
また、請求項１０のように、請求項１乃至９のいずれかに記載のルーフモールディングを取付溝に沿って装着する共に強制変位部が設けられた端末取付部を取付溝に固定された取付具に取り付ければ、上述した請求項１乃至９の効果を有するルーフモールディングの取付構造を実現することができる。
【発明を実施するための最良の形態】
【００１８】
以下、本発明を実施するための最良の形態を４つの実施例１〜４を用いて説明する。
【実施例１】
【００１９】
本発明の実施例１を図１乃至図５に基づいて説明する。
図１及び図２に示すように、自動車のルーフパネル１１の左右両側部には、それぞれサイドボディパネル１２がスポット溶接等により接合され、これらのルーフパネル１１とサイドボディパネル１２の接合部に沿って凹状の取付溝１３（図２参照）が形成されている。ルーフパネル１１の左右両側の取付溝１３は、それぞれ車体の前後方向に沿って略直線状に設けられ、その前端側が車体の幅方向外側に向けて湾曲するように形成されている。これらの左右両側の取付溝１３に沿って、それぞれ長尺なルーフモールディング１４が装着され、これらのルーフモールディング１４によってルーフパネル１１とサイドボディパネル１２の接合部を覆い隠すようにしている。
【００２０】
次に、図３乃至図５に基づいて右側の取付溝１３に装着されるルーフモールディング１４の取付構造について説明する。以下、説明の便宜上、車体の幅方向外側を単に「幅方向外側」といい、車体の幅方向内側（車体の中心側）を単に「幅方向内側」という。
【００２１】
ルーフモールディング１４は、例えば、ＴＰＯ（オレフィン系熱可塑性エラストマー）、ＳＢＣ（スチレン系熱可塑性エラストマー）、ＴＰＯとＳＢＣの混合物、ＥＰＤＭ（エチレン−プロピレン−ジエンゴム）、ＰＶＣ樹脂（ポリ塩化ビニル樹脂）等の弾性ポリマー材料を押出成形機で押出成形して直線状に形成されている。
【００２２】
図３に示すように、このルーフモールディング１４は、取付溝１３の少なくとも一部又は全体を覆う装飾頭部１５と、この装飾頭部１５の裏面から取付溝１３の底壁２０に向けて突出する脚部１６と、この脚部１６の先端部から幅方向外側に向けて延びる装着係止部１７及び幅方向内側に向けて延びる装着係止部１８とが一体的に形成されている。
【００２３】
また、脚部１６の中央部には、ルーフモールディング本体（脚部１６等）を形成する弾性ポリマー材料よりも線膨張係数が小さい金属板や金属線等で形成された芯材１９がインサート押出成形によりルーフモールディング１４の長手方向のほぼ全長に亘って埋設されている。この芯材１９によって、ルーフモールディング１４の長手方向における熱伸縮を防止することができると共に、ルーフモールディング１４に適度な剛性や弾性を持たせることができる。
【００２４】
このルーフモールディング１４を取付溝１３に沿って装着したときに、幅方向外側の装着係止部１７が取付溝１３の幅方向外側の側壁２１に当接すると共に、幅方向内側の装着係止部１８が取付溝１３の幅方向内側の側壁２２に当接することで、ルーフモールディング１４が取付溝１３の所定位置に係止されるようになっている。
【００２５】
また、図４及び図５に示すように、取付溝１３の前側の端末部（つまり幅方向外側に向けて湾曲した部分）では、ルーフモールディング１４を取り付けるためのクリップ２３（取付具）が両面テープ３３等により底壁２０に固定されている。このクリップ２３は、樹脂や金属等により横断面略Ｕ字形状に形成され、幅方向外側と幅方向内側にそれぞれ被係合部２４，２５が設けられている。
【００２６】
一方、ルーフモールディング１４の前側の端末部（つまり取付溝１３の前側の端末部に装着される部分）では、各装着係止部１７，１８及び脚部１６の先端部分が長手方向の所定範囲に亘って切断されて除去され、この装着係止部１７，１８等が除去された部分に、前記クリップ２３に取付可能な端末取付部２６が一体的に設けられている。この端末取付部２６は、該端末取付部２６の射出成形型にルーフモールディング１４の前側の端末部（装着係止部１７，１８等が除去された部分）をセットした状態で、該射出成形型内にルーフモールディング１４本体（脚部１６等）と同じか又は同系の弾性ポリマー材料を射出して成形することで、ルーフモールディング１４の前側の端末部に一体化されている。
【００２７】
この端末取付部２６は、脚部１６の切断面から取付溝１３の底壁２０に向けて延びるように形成され、その先端部の幅方向外側と幅方向内側にそれぞれ係合部２８，２９が一体的に形成されている。更に、端末取付部２６のうち幅方向内側で係合部２９の上方には、取付溝１３の幅方向内側の側壁２２に向けて突出する側方突出部３０（強制変位部）が一体的に形成されている。
【００２８】
図５に示すように、この端末取付部２６の各係合部２８，２９をクリップ２３の各被係合部２４，２５に係合させて端末取付部２６をクリップ２３に取り付けたときに、端末取付部２６の側方突出部３０がクリップ２３の幅方向内側の被係合部２５の上端に当接することで、端末取付部２６の幅方向内側が反時計回り方向に回転するように上方に持ち上げられて該端末取付部２６が幅方向外側に傾動し、この端末取付部２６の幅方向外側への傾動に伴って、装飾頭部１５の端末部の幅方向における位置が外側に向けて変位するようになっている。
【００２９】
また、図４に示すように、端末取付部２６の側方突出部３０が装飾頭部１５とほぼ平行方向に延びるように形成され、この側方突出部３０と該側方突出部３０の下方の係合部２９との間の隙間寸法が端末取付部２６の後方向（長手方向で端末と逆方向）に向かって徐々に広くなるように、各係合部２８，２９が側方突出部３０に対して斜め方向に延びるよう形成されされている。尚、端末取付部２６の各係合部２８，２９を装飾頭部１５とほぼ平行方向に延びるように形成し、側方突出部３０を各係合部２８，２９に対して斜め方向に延びるよう形成するようにしても良い。
【００３０】
更に、端末取付部２６の前端部には、ルーフモールディング１４の長手方向の前端位置を規制するための先端当接部３１と、ルーフモールディング１４の長手方向の前端面を覆う端末カバー部３２とが一体成形されている。これにより、端末カバー部３２で前端面がカバーされたルーフモールディング１４を部品点数の増加を招くことなく実現することができる。
【００３１】
次に、ルーフモールディング１４を取付溝１３に装着する際の手順を説明する。
まず、ルーフモールディング１４の端末取付部２６を取付溝１３内に固定されたクリップ２３に取り付ける。その際、まず、端末取付部２６の側方突出部３０と係合部２９との間の隙間寸法が広い部分（端末取付部２６の後側部分）で、端末取付部２６の各係合部２８，２９をクリップ２３の各被係合部２４，２５に仮係合させる。この後、端末取付部２６の先端当接部３１にクリップ２３の各被係合部２４，２５前端面が突き当るまでルーフモールディング１４を後方にスライド移動させて、端末取付部２６の各係合部２８，２９をクリップ２３の各被係合部２４，２５に完全に係合させる。この取付方法を採用することで端末取付部２６の側方突出部３０と係合部２９が上下に並んで配置されていても、側方突出部３０に邪魔されずに端末取付部２６の各係合部２８，２９をクリップ２３の各被係合部２４，２５に簡単に係合させることができる。
【００３２】
このようにして、ルーフモールディング１４の端末取付部２６をクリップ２３に取り付けたときに、図５に示すように、端末取付部２６の幅方向内側に設けられた側方突出部３０がクリップ２３の幅方向内側の被係合部２５の上端に当接することで、端末取付部２６の幅方向内側を上方に持ち上げて該端末取付部２６を幅方向外側に傾動させることができ、この端末取付部２６の幅方向外側への傾動に伴って、装飾頭部１５の端末部を幅方向外側に向けて強制的に変位させることができる。
【００３３】
ルーフモールディング１４の端末取付部２６をクリップ２３に取り付けた後、図３に示すように、ルーフモールディング１４の前側の端末部以外の部分では、各装着係止部１７，１８を取付溝１３内に挿入して各装着係止部１７，１８を取付溝１３の各側壁２１，２２に当接させることで、ルーフモールディング１４を取付溝１３の所定位置に係止させる。これにより、前側の端末部が湾曲した取付溝１３に沿ってルーフモールディング１４を装着する作業が完了する。
【００３４】
以上説明した本実施例１では、前側の端末部が湾曲した取付溝１３にルーフモールディング１４を装着する際、ルーフモールディング１４の端末取付部２６を取付溝１３内のクリップ２３に取り付けたときに、端末取付部２６の幅方向内側に設けた側方突出部３０がクリップ２３の幅方向内側の被係合部２５の上端に当接することで、端末取付部２６の幅方向内側を上方に持ち上げて該端末取付部２６を幅方向外側に傾動させるようにしたので、この端末取付部２６の幅方向外側への傾動に伴って、装飾頭部１５の端末部を幅方向外側に向けて強制的に変位させることができ、装飾頭部１５の端末部が取付溝１３の幅方向内側に寄ってしまうことを防止することができる。これにより、取付溝１３の端末湾曲部でルーフモールディング１４の装飾頭部１５と取付溝１３の幅方向内側部分との隙間を他の部分とほぼ同じにすることができるため、端末部が湾曲した取付溝１３にルーフモールディング１４を見栄え良く装着することができ、外観性を向上させることができる。
【００３５】
以下、本発明の実施例２〜４を図６乃至図９に基づいて説明する。但し、前記実施例１と実質的に同一部分には同一符号を付して説明を簡略化し、主として前記実施例１と異なる部分について説明する。
【実施例２】
【００３６】
図６に示すように、本発明の実施例２では、端末取付部２６の先端当接部３１のうち幅方向内側の下端部に、下方突出部３４（強制変位部）が取付溝１３の底壁２０に向けて突出するように一体的に形成されている。そして、端末取付部２６の各係合部２８，２９をクリップ２３の各被係合部２４，２５に係合させて端末取付部２６をクリップ２３に取り付けたときに、先端当接部３１の下方突出部３４が取付溝１３の底壁２０に当接することで、端末取付部２６の幅方向内側が上方に持ち上げられて該端末取付部２６が幅方向外側に傾動し、この端末取付部２６の幅方向外側への傾動に伴って、装飾頭部１５の端末部が幅方向外側に向けて変位するようになっている。
【００３７】
以上説明した本実施例２では、ルーフモールディング１４の端末取付部２６を取付溝１３内のクリップ２３に取り付けたときに、先端当接部３１の幅方向内側に設けた下方突出部３４が取付溝１３の底壁２０に当接することで、端末取付部２６の幅方向内側を上方に持ち上げて該端末取付部２６を幅方向外側に傾動させるようにしたので、この端末取付部２６の幅方向外側への傾動に伴って、装飾頭部１５の端末部を幅方向外側に向けて強制的に変位させることができ、前記実施例１と同じ効果を得ることができる。
【実施例３】
【００３８】
図７に示すように、本発明の実施例３では、端末取付部２６の各係合部３５，３６（強制変位部）を、端末取付部２６の下端（先端）から幅方向外側の係合部３５上端までの高さ寸法ｔ2 が、幅方向内側の係合部３６上端までの高さ寸法ｔ1 よりも大きくなるように形成することで、幅方向外側の係合部３５の係合位置が、幅方向内側の係合部３６の係合位置よりも装飾頭部１５に近い位置になるように設定されている。これにより、端末取付部２６の各係合部３５，３６をクリップ２３の各被係合部２４，２５に係合させて端末取付部２６をクリップ２３に取り付けたときに、装飾頭部１５の端末部が幅方向外側に傾斜した状態になって、装飾頭部１５の端末部が幅方向外側に向けて変位するようになっている。
【００３９】
以上説明した本実施例３では、端末取付部２６の幅方向外側の係合部３５の係合位置が幅方向内側の係合部３６の係合位置よりも装飾頭部１５に近い位置になるように設定したので、端末取付部２６の各係合部３５，３６をクリップ２３の各被係合部２４，２５に係合させて端末取付部２６をクリップ２３に取り付けたときに、装飾頭部１５の端末部を幅方向外側に傾斜させて、装飾頭部１５の端末部を幅方向外側に向けて強制的に変位させることができ、前記実施例１と同じ効果を得ることができる。
【００４０】
尚、図８に示す変形例のように、端末取付部２６の各係合部３７，３８（強制変位部）を、端末取付部２６の下端から幅方向外側の係合部３７上端までの高さ寸法と、幅方向内側の係合部３８上端までの高さ寸法をほぼ同じ寸法にしたままで、端末取付部２６の上端（脚部１６の切断面）から幅方向外側の係合部３７上端までの高さ寸法ｗ2 が、幅方向内側の係合部３８上端までの高さ寸法ｗ1 よりも小さくなるように形成することで、幅方向外側の係合部３７の係合位置が、幅方向内側の係合部３８の係合位置よりも装飾頭部１５に近い位置になるように設定しても良い。
【００４１】
このようにしても、端末取付部２６の各係合部３７，３８をクリップ２３の各被係合部２４，２５に係合させて端末取付部２６をクリップ２３に取り付けたときに、装飾頭部１５の端末部を幅方向外側に傾斜させて、装飾頭部１５の端末部を幅方向外側に向けて強制的に変位させることができ、前記実施例１と同じ効果を得ることができる。
【００４２】
しかも、前記図７の例のように、端末取付部２６の下端から幅方向外側の係合部３５上端までの高さ寸法ｔ2 を大きくする場合と比較して、図８に示す変形例では、端末取付部２６の下端とクリップ２３との間の隙間を広くすることができるため、その分、端末取付部２６を下方に押し込んでクリップ２３に係合させる際の押し込み量を多くすることができ、端末取付部２６の取付作業性を向上させることができる。
【実施例４】
【００４３】
図９に示すように、本発明の実施例４では、端末取付部２６のうちクリップ２３に固定される固定部３９（端末取付部２６の下側部分及び各係合部２８，２９）を強制変位部とし、端末取付部２６をクリップ２３に取り付けたときに、装飾頭部１５の端末部が幅方向外側に傾斜した状態になるように、予め端末取付部２６の固定部３９を装飾頭部１５に対して所定角度θだけ傾斜した形状に形成するようにしている。
【００４４】
以上説明した本実施例４では、予め端末取付部２６の固定部３９を装飾頭部１５に対して傾斜した形状に形成したので、端末取付部２６の各係合部２８，２９をクリップ２３の各被係合部２４，２５に係合させて端末取付部２６の固定部３９をクリップ２３に固定したときに、装飾頭部１５の端末部を幅方向外側に傾斜させて、装飾頭部１５の端末部を幅方向外側に向けて強制的に変位させることができ、前記実施例１と同じ効果を得ることができる。
【００４５】
尚、図５乃至図９において、二点鎖線で示したルーフモールディングの位置は、強制変位部が無い場合の不具合となる位置を示している。
尚、上記各実施例１〜４は、それぞれ単独で実施しても良いが、上記各実施例１〜４のうちの２つ以上を適宜組み合わせて実施するようにしても良い。
【００４６】
また、上記各実施例１〜４では、ルーフモールディングの前側の端末部に、強制変位部を備えた端末取付部を設けるようにしたが、ルーフモールディングの後側の端末部に、強制変位部を備えた端末取付部を設けるようにしても良い。このようにすれば、後端側が湾曲した取付溝にルーフモールディングを見栄え良く装着することができる。
【００４７】
更に、ルーフモールディングの前側と後側の両方の端末部に、それぞれ強制変位部を備えた端末取付部を設けるようにしても良い。このようにすれば、前端側と後端側の両方が湾曲した取付溝にルーフモールディングを見栄え良く装着することができる。
【００４８】
また、上記各実施例１〜４では、ルーフモールディングの端末部に、端末取付部を射出成形して一体化するようにしたが、これに限定されず、別途に製作した端末取付部をルーフモールディングの端末部に接着等で固着するか又は嵌め合わせて固着するようにしても良い。
【００４９】
また、上記各実施例１〜４では、端末取付部をクリップに直接取り付けるようにしたが、端末取付部をクリップ等の取付具に何らかの部材を介して間接的に取り付けるようにしても良い。
【００５０】
その他、本発明は、ルーフモールディング、取付溝、端末取付部、取付具、強制変位部等の形状を適宜変更しても良い等、要旨を逸脱しない範囲で種々変更して実施できる。
【図面の簡単な説明】
【００５１】
【図１】本発明の実施例１におけるルーフモールディングが装着された自動車の要部の斜視図である。
【図２】実施例１のルーフモールディングの前側部及びその周辺部の斜視図である。
【図３】図２のＡ−Ａ断面図である。
【図４】図２のＢ−Ｂ断面図である。
【図５】図４のＣ−Ｃ断面図である。
【図６】実施例２のルーフモールディングの先端当接部及びその周辺部の断面図である。
【図７】実施例３のルーフモールディングの端末取付部及びその周辺部の断面図である。
【図８】実施例３の変形例におけるルーフモールディングの端末取付部及びその周辺部の断面図である。
【図９】実施例４のルーフモールディングの端末取付部及びその周辺部の断面図である。
【図１０】従来のルーフモールディングを取付溝に装着した状態を示す平面図である。
【符号の説明】
【００５２】
１１…ルーフパネル、１２…サイドボディパネル、１３…取付溝、１４…ルーフモールディング、１５…装飾頭部、１６…脚部、１７，１８…装着係止部、１９…芯材、２０…底壁、２１，２２…側壁、２３…クリップ（取付具）、２４，２５…被係合部、２６…端末取付部、２８，２９…係合部、３０…側方突出部（強制変位部）、３２…端末カバー部、３４…下方突出部（強制変位部）、３５，３６…係合部（強制変位部）、３７，３８…係合部（強制変位部）、３９…固定部（強制変位部）
【図１】
2007196835.tif 000003
【図２】
2007196835.tif 000004
【図３】
2007196835.tif 000005
【図４】
2007196835.tif 000006
【図５】
2007196835.tif 000007
【図６】
2007196835.tif 000008
【図７】
2007196835.tif 000009
【図８】
2007196835.tif 000010
【図９】
2007196835.tif 000011
【図１０】
2007196835.tif 000012